(57)【要約】【課題】折り目を設けずに偏平に折り畳み可能で、製品の非収容時には偏平に折り畳んで集積効率を高くすることができると共に製品の収容時には高い強度を有して製品を安全に収容することができる折畳み二重箱を提供する。【解決手段】各２枚の第１及び第２側板を相対させて四角枠形状に形成した外箱と、該外箱内に挿嵌される大きさの第３及び第４側板を相対させて四角枠形状に形成した内箱とから二重箱を構成する。外箱及び内箱の底板は、相対する各側板の下部に設けられる底片相互を接着した状態で互いに係合し合って折畳み可能な構造とすると共に外箱における各側板の上部には長手直交方向が所定の幅で内側へ折り返し可能な屈曲片を、相互間に各側板の境界から側版の長手直交方向に対して少なくとも４５度以上の角度で側板の厚さ分、傾斜して延出した後に長手直交方向へ延出する切り欠きを設けて折り返し可能に設ける。【選択図】　　　　図１
2004067133.tif 000002
【特許請求の範囲】
【請求項１】
各２枚の第１及び第２側板を相対させて四角枠形状に形成した外箱と、該外箱内に挿嵌される大きさの第３及び第４側板を相対させて四角枠形状に形成した内箱とからなる二重箱において、外箱及び内箱の底板は、相対する各側板の下部に設けられる底片相互を接着した状態で互いに係合し合って折畳み可能な構造とすると共に外箱における各側板の上部には長手直交方向が所定の幅で内側へ折り返し可能な屈曲片を、相互間に各側板の境界から側板の長手直交方向に対して少なくとも４５度以上の角度で側板の厚さ分、傾斜して延出した後に長手直交方向へ延出する切り欠きを設けて折り返し可能に形成した折畳み二重箱。
【請求項２】
外箱及び内箱の底板は、互いに相対する一方の側板下部に三角形状の被接着底片を折り返し可能に設けると共に他方の側板の内、一方には隣接する被接着底片の一部に接着され、折り目にて折り返し可能な接着部を設けると共に先端部に係合部を設けた係合底片を、また他方には隣接する被接着底片の一部に接着され、折り目にて折り返し可能な接着部を設けると共に先端部に係合部が係合される被係合部を有した被係合底片をそれぞれ折り返し可能に設けた請求項１の折畳み二重箱。
【請求項３】
内箱内に袋体を装着した請求項１の折畳み二重箱。
【請求項４】
内箱の角上部には切欠き部を形成し、袋体装着時に内箱内の空気を排出可能にした請求項３の折畳み二重箱。
【請求項５】
外箱及び内箱の各側板間には、屈曲辺の厚さに応じた空気断熱層を設けた請求項１の折畳み二重箱。
【請求項６】
各２枚の第１及び第２側板を相対させて四角枠形状に形成した外箱と、該外箱内に挿嵌される大きさの第３及び第４側板を相対させて四角枠形状に形成した内箱とからなる二重箱において、外箱及び内箱の底板は、相対する各側板の下部に設けられる底片相互を接着した状態で互いに係合し合って折畳み可能な構造とすると共に外箱における各側板の上部には長手直交方向が所定の幅で内側へ折り返し可能な屈曲片相互間に、各側板の境界にて側板の厚さに応じた半径の半円弧状で長手直交方向へ延出する切り欠きを設けて折り返し可能に形成した折畳み二重箱。
【発明の詳細な説明】
【０００１】
【発明が属する技術分野】
本発明は、断熱性を有し、ワンタッチで折り畳みできる紙製の折畳み二重箱に関する。
【０００２】
【発明が解決しようとする課題】
断熱性を有した従来の二重箱としては、例えば底板の対向する各側縁に一対の側板を起立するように設けると共に各側板の端縁に隅板を一体に設け、各隅板を三角形に折曲しながら各側板を起立させた後に折曲された各隅板を側板の内面または外面に重ね合わせて形成した外箱に、同様にして形成された内箱を挿嵌して構成している。
【０００３】
この種の二重箱にあっては、製品の非収容時における集積容量を低減するため、偏平に折り畳みできるようにする必要がある。この折り畳みを実現するため、外箱の一方の相対する側板と内箱の一方の相対する側板に、各側板の端縁下部から約４５度の角度で延出して上部にて近づく折り目を設けると共に夫々の底板に、折り目が設けられる各側板の端縁下部から約４５度の角度で交差し、かつ該交差箇所から長手方向へ延びる折り目を設け、夫々の折り目にて外箱及び内箱の側板及び底板を折り返して偏平に折り畳みできるようにしている。
【０００４】
しかし、上記した二重箱は、外箱及び内箱に折り目を設けて側板を折り畳むことにより全体を折り畳みできるようにしているが、使用時には夫々の側板が折れ曲がり易くなり、箱として充分な強度が得られなかった。特に、内部に製品を収容した状態で多段積み集積する場合にあっては、下方に位置する二重箱が上方に位置する二重箱の重量に耐えきれずに潰れ易く、製品を安全に収容できなかった。
【０００５】
本発明は、上記した従来の欠点を解決するために発明されたものであり、その課題とする処は、折り目を設けずに偏平に折り畳み可能で、製品の非収容時には偏平に折り畳んで集積効率を高くすることができると共に製品の収容時には高い強度を有して製品を安全に収容することができる折畳み二重箱を提供することにある。
【０００６】
【課題を解決するための手段】
本発明は、各２枚の第１及び第２側板を相対させて四角枠形状に形成した外箱と、該外箱内に挿嵌される大きさの第３及び第４側板を相対させて四角枠形状に形成した内箱とからなる二重箱において、外箱及び内箱の底板は、相対する各側板の下部に設けられる底片相互を接着した状態で互いに係合し合って折畳み可能な構造とすると共に外箱における各側板の上部には長手直交方向が所定の幅で内側へ折り返し可能な屈曲片を、相互間に各側板の境界から側板の長手直交方向に対して少なくとも４５度以上の角度で側板の厚さ分、傾斜して延出した後に長手直交方向へ延出する切り欠きを設けて折り返し可能に設けたことを特徴とする。
【０００７】
【発明の実施形態】
以下、本発明の実施形態を図に従って説明する。
図１〜図６において、折畳み二重箱１は外箱３と、該外箱３内に挿嵌される内箱５及び内箱５内に装着される合成樹脂袋７とから構成される。
【０００８】
その内、外箱３及び内箱５は段ボール紙、厚手状クラフト紙等の紙材で、例えば鮮魚等の水物を収容する用途にあっては、内面に合成樹脂フィルム等の防水フィルムをラミネート加工した紙材が適している。
【０００９】
外箱３は各２枚の第１側板９及び第２側板１１を横方向へ交互に連続させて折り返し可能に形成したもので、第１側板９の側端縁には接着片１３が所定の幅で一体に設けられている。そして接着片１３を第２側板１１の側端縁に接着して四角枠形状に形成される。
【００１０】
各第１側板９及び第２側板１１の上部には第１側板９及び第２側板１１の長手直交方向に対して所定の幅で延出する屈曲片１５・１７が一体に夫々設けられ、各屈曲片１５・１７間には第１側板９及び第２側板１１間の各折り目箇所から長手直交方向に対して約４５度の角度で傾斜した状態で外箱３の厚み幅分、延出した後に第１側板９及び第２側板１１の長手直交方向へ延出する切り欠き１５ａ・１７ａが夫々設けられる。各切り欠き１５ａ・１７ａ基端側の傾斜角度は４５度以上、望ましくは８０度位であればよい。
【００１１】
図５（図５は外箱の底面を示すが、内箱の底面も同様な構造であり、図示を省略する）に示すように、各第１側板９及び第２側板１１の下部には底片１９・２１，２３・２５が一体に設けられる。その内、各第１側板９の底片１９・２１は平面がほぼ三角形で、第１側板９の下部に対して折り返しできるように設けられる。
【００１２】
各第２側板１１の底片２３・２５は第１側板９の長手方向幅に対して約１／２の幅で長手直交方向へ延出し、隣接する底片１９・２１側の側端縁には接着部２３ａ・２５ａが折り目２３ｂ・２５ｂにて折り返し可能に設けられて底片１９・２１に接着されている。底片２３の先端部には係合部２３ｃが、また底片２５の先端部には係合部２３ｃが差し込まれる切欠部２５ｃが形成される。これら底片１９・２１，２３・２５は外箱３を偏平に折り畳んだ際に外箱３の内側へ折り返した状態になる。
【００１３】
尚、各第１側板９及び第２側板１１の内面側へ折り返された夫々の屈曲片１５・１７は接着テープ（図示せず）により重ね合わされた状態で固定される。
【００１４】
内箱５は外箱３と同様の紙材で、各２枚の第３及び第４側板３１・３３を横方向へ互い違い状に連続させて折り返し可能な構造からなり、第３側板３１の側端縁には長手方向へ所定の幅で延出する接着片３５が一体に設けられる。
【００１５】
そして各第３側板及び第４側板３１・３３を四角枠形状に折り返した状態で接着片３５を第４側板３３の端縁外面に接着して箱形に形成される。
そして各第３側板及び第４側板３１・３３の下部には上記した外箱３と同様の底片３７・３９，４１・４３が一体で、かつ折り返し可能に設けられる。その内、第３側板３１の底片３７・３９は平面がほぼ三角形に形成される。また、第４側板３３の底片４１・４３は第４側板３３の長手方向のほぼ全体にわたり、第３側板３１の長手方向の約１／２幅で第４側板３３の長手直交方向へ延出し、隣接する底片３７・３９の一部に接着される接着部４１ａ・４３ａが折り目４１ｂ・４３ｂにより折り返し可能に設けられる。
【００１６】
一方の底片４１先端部には係合部４１ｃが、他方の底片４３の先端部には係合部４１ｃが差し込まれて掛止めされる切り込み４３ｃが設けられている。これら底片３７・３９，４１・４３は内箱５が偏平状に折り畳まれた際に内箱５の内側へ折り返した状態になる。
【００１７】
尚、内箱５における一部の角部上部には切欠５ａが形成され、後述する合成樹脂袋７を内箱５内に装着する際に該切欠５ａを介して内箱５内の空気を排出させることにより装着作業を円滑に行うことができるようにしている。
合成樹脂袋７は内箱５の立方体形状に一致する袋形状で、例えばＰＰ樹脂等により形成される。合成樹脂袋７自体、断熱性を有している。
【００１８】
次に、折畳み二重箱１の作用を説明する。
夫々の第１側板９及び第２側板１１を相対させた状態に折り返して四角枠形状にすると、底片１９・２１及び底片２３・２５を互いに重ね合わせて平面状の底板とした外箱３に形成される。このとき、底片２３の係合部２３ｃを切欠部２５ｃに差し込み、平面状態を維持させる。また、各屈曲片１５・１７は第１及び第２側板９・１１の内面上部に重ね合わされている。
【００１９】
同様にして夫々の第３及び第４側板３１・３３を相対させた状態で折り返して四角枠形状にすると、底片３７・３９，４１・４３は互いに重なり合って平面状の底板とした内箱５に形成される。このとき、底片４１の係合部４１ｃは底片４３の切り込み４３ｃに差し込まれて底板を平面状に保たれる。
【００２０】
上記のように組立てられた外箱３内に対して内箱５を挿嵌すると、第１及び第２側板９・１１と第３及び第４側板３１・３３との間には屈曲片１５・１７の厚さ分の間隙５１・５３が形成され、該間隙５１・５３は両者間にて空気断熱層を形成して断熱効果を得ることができる。（図６参照）
【００２１】
外箱３内に挿嵌された内箱５内に合成樹脂袋７を装着させる。内箱５内に合成樹脂袋７を装着する際に、内箱５内の空気を切欠５ａから排出させることができ、装着作業を円滑化することができる。
【００２２】
そして合成樹脂袋７内に所望の製品を収容した後、合成樹脂袋７の上部を収束した状態で折り畳んで内箱５内に位置させた状態で、折畳み二重箱１の上面開口に蓋体（図示せず）を取り付けて梱包作業を終了する。
【００２３】
該折畳み二重箱１にあっては、上記したように外箱３と内箱５の相互間に設けられる間隙５１・５３の空気層により外気からの熱が製品に直接作用するのを回避して断熱収容することができる。また。合成樹脂体７自体、ある程度の断熱性を有しているため、上記した間隙５１・５３による断熱性を補助することができる。
【００２４】
一方、上記のように組立てられた折畳み二重箱１は以下のようにして折畳んで集積される。
即ち、外箱３内に内箱５を挿嵌した状態で夫々の底板を上方へ押し上げると、切欠部２５ｃから係合部２３ｃの差し込み状態及び切り込み４３ｃから係合部４１ｃの差し込み状態が夫々解除されることにより夫々の底片１９・２１，２３・２５、３７・３９，４１・４３を内側にて起立させる。このとき、底片１９・２１と２３・２５及び３７・３９と４１・４３とが接着されて底片１９・２１と３７・３９が折り返されることにより第１及び第２側板９・１１と第３及び第４側板３１・３３を互いに重ね合わせできるようにして外箱３及び内箱５を偏平状にして夫々折り畳ませる。（図７及び図８参照）
【００２５】
上記折畳み時においては、外箱３においては、第１側板９と第２側板１１が約９０度、屈曲して相互に重なり合うが、その際には屈曲片１５・１７相互間に基端部が約４５度の角度で傾斜した切り欠き１５ａ・１７ａが形成されているため、該切り欠き１５ａ・１７ａにより第１側板９と第２側板１１が約９０度近く、屈曲するのを可能にしている。
【００２６】
本実施形態は、夫々の側板に折り目を設けることなく、外箱３に内箱５が挿嵌されたままの状態で、折畳み二重箱１を偏平状に折り畳んで集積することができ、集積容量を最小限にすることができる。
【００２７】
上記説明は、各屈曲片１５・１７間に、基端部が少なくとも４５度以上で傾斜して延出する切り欠き１５ａ・１７ａを設けるものとしたが、各切り欠き１５ａ・１７ａ基端部の形状としては、図９に示すように半円弧形状であってもよい。
【００２８】
【発明の効果】
本発明は、折り目を設けずに偏平に折り畳み可能で、製品の非収容時には偏平に折り畳んで集積効率を高くすることができると共に製品の収容時には高い強度を有して製品を安全に収容することができる。
【図面の簡単な説明】
【図１】折畳み二重箱の全体斜視図である。
【図２】外箱の展開図である。
【図３】内箱の展開図である。
【図４】図１のＡ箇所を拡大して示す説明図である。
【図５】外箱の底面構造を示す説明図である。
【図６】図１のＢ−Ｂ線に応じた縦断面図である。
【図７】折畳み二重箱の折畳み状態を示す斜視図である。
【図８】図７のＣ−Ｃ線従断面図である。
【図９】変更実施形態を示す説明図である。
【符号の説明】
１−折畳み二重箱、３−外箱、５−内箱、９−第１側板、１１−第２側板、１５・１７−屈曲片、１５ａ・１７ａ−切り欠き、１９・２１，２３・２５−底片、３１−第３側板、３３−第４側板、３７・３９，４１・４３−底片
【図１】
2004067133.tif 000003
【図２】
2004067133.tif 000004
【図３】
2004067133.tif 000005
【図４】
2004067133.tif 000006
【図５】
2004067133.tif 000007
【図６】
2004067133.tif 000008
【図７】
2004067133.tif 000009
【図８】
2004067133.tif 000010
【図９】
2004067133.tif 000011